(57)【要約】【課題】折曲開放式の銃火器における下部鉄被と作動本体との間の保持状態調節装置を提供する。【解決手段】作動本体に設けられた固定ヒンジ点を中心として、整列されて閉じられた状態と、作動本体に対して回動されて解放された状態との間において回動可能になっている少なくともひとつの銃身と、下部鉄被に対して掛止されるべく少なくともひとつの銃身における底部に固定されてなるほぞとを備えているような上記装置において、この装置が、下部鉄被の軸線方向について可動であって、ほぞに干渉すべく適合してなるブロックないしカーソルと、軸状部分に複数のリング状バネを支持してなる調節ピンと、後部軸線結合具と、を具備していて、下部鉄被及び作動本体の保持状態のための弾性調節装置は、適度な保持状態を与えるべく適しており、及び／又は下部鉄被及び作動本体の結合部摩耗に起因する保持状態の減損を補償すべく適している、ことを特徴とする装置である。【選択図】図２
2006105587.tif 000002
【特許請求の範囲】
【請求項１】
折曲開放式の銃火器において下部鉄被と作動本体との間の保持状態を調節する装置であって、作動本体（１４）に設けられた固定ヒンジ点（１５）を中心として、整列されて閉じられた状態と、前記作動本体（１４）に対して回動されて解放された状態との間において回動可能になっている少なくともひとつの銃身（１３）と、下部鉄被（１６）に対して掛止されるべく前記少なくともひとつの銃身（１３）における底部に固定されてなるほぞ（１８）とを備えているような上記装置において、この装置が、前記下部鉄被（１６）の軸線方向について可動であって、前記ほぞ（１８）に干渉すべく適合してなるブロックないしカーソル（２１）と、軸状部分（２７）に複数のリング状バネ（２８）を支持してなる調節ピン（２６）と、後部軸線結合具（３０）と、を具備していて、前記下部鉄被及び作動本体の保持状態のための弾性調節装置（２０）は、適度な保持状態を与えるべく適しており、及び／又は、下部鉄被及び作動本体の結合部摩耗に起因する保持状態の減損を補償すべく適している、ことを特徴とする装置。
【請求項２】
前記リング状バネ（２８）は、極めて小さいサイズであって、極めて高いエネルギー特性を備えていることを特徴とする請求項１に記載の装置。
【請求項３】
前記調節ピン（２６）は、前記後部軸線結合具（３０）に対して係合すべきネジ付き軸部（２９）と、カラー（３１）ないし前記バネ（２８）が当接すべき平面と、前記バネ（２８）の予荷重、つまり銃火器の開閉力を調節するための要素（３２）と、を具備していることを特徴とする請求項１に記載の装置。
【請求項４】
前記後部軸線結合具（３０）は、実質的に円筒形である要素になっていて、前記下部鉄被（１６）に設けられた合致形状をもつ受座（３３）に適切に配置されるべく大径にされた上部部分と、前記ネジ付き軸部（２９）を受け入れるように適したネジ付き軸孔（３４）とを具備していることを特徴とする請求項３に記載の装置。
【請求項５】
前記カーソル（２１）は、軸線方向に摺動して前記下部鉄被（１６）に対して結合されるべく、対向する両側面に案内部（２２）を形成されて具備していることを特徴とする請求項１に記載の装置。
【請求項６】
前記カーソル（２１）は、前記ほぞ（１８）に対して圧接されるべき傾斜面（２４）を具備していることを特徴とする請求項１に記載の装置。
【請求項７】
前記カーソル（２１）は、前記調節ピン（２６）における軸状部分（２７）の端部を受け入れるのに適している、受座（２５）を具備していることを特徴とする請求項１に記載の装置。
【請求項８】
前記複数のバネ（２８）は、前記カーソル（２１）における平面に当接し、前記受座は、前記軸状部分（２７）に対する機械的なストッパを構成していて、パック状の前記バネ（２８）が積み重なり合って片寄ることを防ぐのに適していることを特徴とする請求項７に記載の装置。
【請求項９】
前記装置が、前記下部鉄被（１６）に統合されていることを特徴とする請求項１に記載の装置。
【請求項１０】
前記装置が、前記下部鉄被（１６）に設けられた開口部又は窓部（２３）の中に挿入されていることを特徴とする請求項１に記載の装置。
【発明の詳細な説明】
【技術分野】
【０００１】
本発明は、折曲開放式の銃火器において下部鉄被と作動本体との間の保持状態を調節する装置に関する。
【背景技術】
【０００２】
従来技術による、例えば図１に示した銃火器１０の如き、いわゆる折曲開放式の銃火器において、銃火器を開くには、開放キー１２を用い、１本又は複数の銃身１３を、受け面ないし作動本体１４に対し、固定ヒンジ点１５を中心として回動させている。
銃身群１３と作動本体１４との間は適切な保持状態になっていることが特に重要であって、というのは、下部木被１７に収められた下部鉄被１６と、作動本体１４との間における接触による反作用のために摩擦力が発生し、かかる摩擦力によって開いた銃身１３を釣合状態に保つことが可能になるが、さもなければ、自重によってバランスを失して下方へ自由に落下するであろうためである。
【０００３】
図１には、従来技術による折曲開放式の銃火器について、その閉じた状態を示しているが、この銃火器の組立作業中には、１又は複数の銃身１３に設けられたほぞ１８に対して、手作業による調節を施して、下部鉄被１６に押圧力を得ている。そうした押圧力によって、銃身１３にある程度の抵抗力をもった堅い回動特性が銃火器１０に与えられる。
しかしながら、そうした公知の解決策における実質的な不都合は、手作業にて行われるほぞ１８の高さ調節がわずかでも変動すると、下部鉄被要素１６の剛性が高いため、下部鉄被と作動本体との間の接触力が大きく変動してしまうことである。そうした変動によって、ひとつひとつの銃火器毎に、銃火器の摩擦状態は、もって操作状態は、極端に変化する。
【０００４】
最後に、押圧度合いがクリティカルであると、通常の使用摩耗に起因する、そのわずかな変動によって、余りに早く理想的な操作状態からの劣化が生じることを忘れるべきではない。実際には、たった数百回、銃火器を開閉するだけで、初期の保持状態には減損が生じる。
【発明の開示】
【発明が解決しようとする課題】
【０００５】
本発明の目的は、下部鉄被と作動本体との間の保持状態を長期間にわたって維持できて、摩耗に対する感受性を低下させることができるような、折曲開放式の銃火器における下部鉄被と作動本体との間の保持状態調節装置を提供することである。
本発明の別の目的は、個別要素がもつ公差の総和たるクリアランスを補償し、ほぞに対する手作業による調節を必要とせずに、一定した開閉力の銃火器を生産できるような、折曲開放式の銃火器における下部鉄被と作動本体との間の保持状態調節装置を提供することである。
本発明の別の目的は、銃火器の開閉力をユーザが必要に応じて調節可能であるような、折曲開放式の銃火器における下部鉄被と作動本体との間の保持状態調節装置を提供することである。
さらに、本発明の別の目的は、折曲開放式の銃火器において審美的及び人間工学的に重要なものである、下部鉄被及び下部木被について、これらの形状及びサイズを変更することなく、小さな空間内において上述の諸目的を達成することである。
また、本発明の目的は、軽量合金などの代替素材を使用して、重量及びコストを削減することである。
本発明の別の目的は、簡素かつ機能的で低コストであるような、折曲開放式の銃火器における下部鉄被と作動本体との間の保持状態調節装置を提供することである。
【課題を解決するための手段】
【０００６】
本発明における上述した諸目的は、請求項１に記載したような、折曲開放式の銃火器における下部鉄被と作動本体との間の保持状態調節装置によって達成される。
更なる特性は、従属請求項によって達成される。
本発明による、折曲開放式の銃火器における下部鉄被と作動本体との間の保持状態調節装置について、その特性及び利点は、非限定的な例示である、以下の詳細な説明及び添付図面によって明らかになるだろう。
【発明を実施するための最良の形態】
【０００７】
図２〜図５を参照すると、本願の説明において、図１の従来技術に関連して既述した要素と同一である要素には、同一の参照符号を付していて、図１は本出願人によって既に生産されている折曲開放式の銃火器１０を示したもので、この銃火器を開くには、開放キー１２を用い、照準部材を備えているであろう、１本又は複数の銃身１３を、受け面ないし作動本体１４に対し、固定ヒンジ点１５を中心として回動させる。
【０００８】
折曲開放式の銃火器１０における、本発明による保持状態調節装置２０は、下部木被１７に取り付けられ、特に好ましい実施形態においては、下部鉄被１６の構造に統合化されている。調節装置２０は、ブロックないしカーソル２１を備え、同カーソルは、軸線方向に摺動して下部鉄被１６に設けられた開口部又は窓部２３に対して結合されるべく、対向する両側面に案内部２２を形成されて具備している。
【０００９】
カーソル２１の片端は、ほぞ１８に対して圧接されるべき傾斜面２４を具備していて、ほぞは不図示の銃身に対してしっかりと固定されている。カーソル２１の反対端は、複数のリング状バネ２８をバネの軸線方向について支持すべく設けられたものである、調節ピン２６について、その軸状部分２７の端部を受け入れるのに適しているような、受座２５を具備している。
【００１０】
受座２５の底面と軸状部分２７との間には、クリアランスが設けられていることから、調節装置２０には所定の動作ストロークが得られ、また同時に、軸状部分２７に対する機械的なストッパを構成し、もってパック状のバネ２８が積み重なり合って片寄ることを防いでいる。
【００１１】
調節ピンの反対端は、本実施形態にあっては後部支持体３０である後部軸線拘束具に対して結合されるように、ネジ付き軸部２９を具備していて、後部支持体３０は、その軸線方向について下部鉄被１６に安定的に係合される。
調節ピン２６の中央部分は、バネ２８のパックが当接するカラー３１を備えていて、この部分には、作用する予荷重を調節するための１又は複数の孔ないし要素３２が具備されている。
【００１２】
図示の如く、バネ２８のパックにおける他端部は、カーソル２１に当接している。
非限定的な例示として図示した、この好ましい実施形態においては、後部支持体３０は、実質的に円筒形である要素になっていて、下部鉄被１６に設けられた合致形状をもつ受座３３に適切に配置されるべく大径にされた上部部分を具備している。後部支持体３０は、調節ピン２６におけるネジ付き軸部２９を受け入れるべく、ネジ付き軸孔３４を具備している。
【００１３】
リング状バネ２８は、市販品であって、複数の外側リングと、複数の内側リングとを互いに交互に配置させて構成されている。リングは、外側又は内側のいずれかに対面すべく円筒形母線を備えてなる平坦側面と、２つの傾斜面を備えてＶ字形断面に構成された反対面とを具備している。
リング２８はパック状に配置され、各リング２８における傾斜面は、その内外面にて、反対向きに接触する２つのリング２８の傾斜面に対して対面している。
【００１４】
図２に詳細に示した実施形態においては、下部鉄被１６は、この下部鉄被１６の端部にて、２本のネジ３７を介して下部木被１７にしっかりと結合されていると共に、成形品の小型ブロック３８を介して下部木被１７に設けられた合致凹部３９に係合している。
ほぞ１８から推力を受けると、下部鉄被１６に対して軸線方向に可動になっているカーソル２１は、調節ピン２６の軸状部分２７に支持されてなる、一連のリング状バネ２８を圧縮する。
下部鉄被１６に対して、その軸線方向に取り付けられてなる後部支持体３０は、バネ２８による力を、下部鉄被と作動本体との接触部分へと伝達し、保持力を確保する。
上述したタイプのリング状バネ２８を用いるならば、動作ストローク内において強い力が保たれて、もって製造公差や摩耗によるクリアランスを補償することが可能になる。
孔３２に適当な工具を挿入し、ピン２６を回転させるならば、ピン２６は後部支持体３０に対して軸線方向に変位するが、両要素はネジを介してしっかり結合されている。すなわち、ピン２６のカラー３１は、リング状バネ２８に対して接触しているので、バネによる予荷重を調節することが可能である。
明らかに、本発明による保持状態調節装置は、折曲開放式の銃身をもった銃火器、つまり銃身を受け面ないし作動本体に対して回動させることで銃火器を開くような銃火器に取り付けることができるものであり、銃火器のタイプに関しては、スポーツ用（例えば上下二連銃身、並列二連銃身、又は単一銃身や、セミ・オートマチック動作のものなど）に限定されたり、無施条ボア又は施条ボアのいずれかに限定されたりすることはない。
【００１５】
本発明による、折曲開放式の銃火器における下部鉄被と作動本体との間の保持状態調節装置によれば、軽量合金から作られた下部鉄被と、鋼から作られた作動本体とが接触する部分に大きな摩耗が生じても、保持状態の予測可能な減損を補償できるという利点が得られる。
さらに、リング状バネは、極めて小型でありながら強い力を提供し、公知の銃火器において利用可能な空間内に、これを統合化することができる。
さらに、本発明による調節装置は、そのすべての目的を有利に達成する。
本発明によって考案された、折曲開放式の銃火器における下部鉄被と作動本体との間の保持状態調節装置に対しては、いくつもの変形及び改良を施すことが可能であって、それらはすべて本発明に包含される。
発明を実施する際には、技術的な要請に応じて、使用する材料及びサイズは任意のものとすることができる。
【図面の簡単な説明】
【００１６】
【図１】図１は、従来技術による折曲開放式の銃火器について、その閉じた状態における中央部分を一部破断して示した側立面図であり、ほぞは、下部鉄被に対して押圧されている。
【図２】図２は、本発明による保持状態調節装置を備えてなる、折曲開放式の銃火器について、その閉じた状態における中央部分を一部破断して示した側立面図である。
【図３】図３は、保持状態調節装置を示した分解図である。
【図４】図４は、破断図として示した保持状態調節装置を支持している、下部鉄被を示した、一部破断斜視図である。
【図５】図５は、本発明による、折曲開放式の銃火器における保持状態調節装置が支持されている、下部木被を示した平面図である。
【図１】
2006105587.tif 000003
【図２】
2006105587.tif 000004
【図３】
2006105587.tif 000005
【図４】
2006105587.tif 000006
【図５】
2006105587.tif 000007
【外国語明細書】
2006105587.tif 000008
2006105587.tif 000009
2006105587.tif 000010
2006105587.tif 000011
2006105587.tif 000012
2006105587.tif 000013
2006105587.tif 000014
2006105587.tif 000015
2006105587.tif 000016
2006105587.tif 000017
2006105587.tif 000018
2006105587.tif 000019
2006105587.tif 000020
2006105587.tif 000021
2006105587.tif 000022
2006105587.tif 000023